(57)【特許請求の範囲】
【請求項１】
モータ軸にファンがボスを介して取付けられて、凝縮器又は蒸発器として作用する熱交換器に外気を送風することにより、該熱交換器内を循環している冷媒と外気とを熱交換させる冷凍回路用送風機において、
前記モータ軸の断面が略多角形状となるように該モータ軸の曲面をカットし、このカットによって形成されたカット面の角部が筒状のボスの中空部に内接するようにモータ軸がボスに挿入される構成とすると共に、前記ボスには、モータ軸固定用の複数のネジが背中合わせに対向するカット面に当接するように配設されてなることを特徴とする冷凍回路用送風機。
【請求項２】
前記モータ軸に形成したカット面が４面であることを特徴とする請求項１記載の冷凍回路用送風機。
【請求項３】
前記ボスに２つのネジが設けられ、かつ、該ネジが背中合わせに対向するカット面に当接するように一直線上に配設されてなることを特徴とする請求項１又は２記載の冷凍回路用送風機。
【発明の詳細な説明】
【０００１】
【発明の属する技術分野】
本発明は、送風機の電磁騒音を低減した冷凍回路用送風機に関する。
【０００２】
【従来の技術】
今日、冷凍回路は空気調和機を始め多方面で利用されている。かかる冷凍回路は、図６に示すように冷媒を圧縮する圧縮機１１、該冷媒を凝縮させる凝縮器１２、冷媒を減圧又は絞る減圧装置１３、冷媒を蒸発させる蒸発器１４等により構成されている。
【０００３】
そして、凝縮器１２及び蒸発器１４には、送風機１５（１５ａ，１５ｂ）が設けられて、外気をこれら凝縮器１２等に送風して冷媒と熱交換させている。
【０００４】
この送風機１５は、モータ１６（１６ａ，１６ｂ）にファン１７（１７ａ，１７ｂ）が取付けられて構成されている。
【０００５】
図７は、送風機１５の上面図（ファン１７側から見た図）で、ファン１７のボス１８にネジ１９（１９ａ，１９ｂ）が直角に取付けられると共に、モータ軸２１には、このネジ１９を受けるネジ受面２０（２０ａ，２０ｂ）が直交して形成されている。
【０００６】
これにより、モータ軸２１の回転運動が、ネジ１９及びボス１８を介してファン１７に伝達されるようになっている。このとき、送風量が容易に調節できるように、モータ１６は位相制御されている。
【０００７】
【発明が解決しようとする課題】
しかしながら、一般商品に対して静音化の要求が強くなってきている昨今において、上記構成の送風機１５を位相制御して駆動すると大きな電磁騒音が発生する問題があった。
【０００８】
そこで、本発明は、かかる電磁騒音を低減してニーズに応える冷凍回路用送風機を提供することを目的とする。
【０００９】
【課題を解決するための手段】
上記課題を解決するため、請求項１にかかる発明は、モータ軸にファンがボスを介して取付けられて、凝縮器又は蒸発器として作用する熱交換器に外気を送風することにより、該熱交換器内を循環している冷媒と外気とを熱交換させる冷凍回路用送風機において、モータ軸の断面が略多角形状となるように該モータ軸の曲面をカットし、このカットによって形成されたカット面の角部が筒状のボスの中空部に内接するようにモータ軸がボスに挿入される構成とすると共に、ボスには、モータ軸固定用の複数のネジが背中合わせに対向するカット面に当接するように配設されてなることを特徴とする。
【００１０】
請求項２にかかる発明は、モータ軸に形成したカット面が４面であることを特徴とする。
【００１１】
請求項３にかかる発明は、ボスに２つのネジが設けられ、かつ、該ネジが背中合わせに対向するカット面に当接するように一直線上に配設されてなることを特徴とする。
【００１２】
【発明の実施の形態】
本発明の実施の形態を図を参照して説明する。なお冷凍回路は、図６に示す構成と略同じなので同一構成に関しては同一符号を用いて説明を適宜省略する。
【００１３】
図１は、空気調和機における室外機の斜視図で、内部に冷房時は凝縮器１２として作用し、暖房時には蒸発器１４として作用する熱交換器が配設され、この熱交換器に送風機３０で外気を送風している。
【００１４】
図２は、かかる送風機３０に用いられているモータ３１の斜視図であり、図３はファン３３が取付けられるモータ軸３４の拡大図である。また図４は、モータ３１にファン３３を取付けたときの上面図（ファン３３側から見た図）である。
【００１５】
これらの図からわかるように、ファン３３のボス３５と係合するモータ軸３４は、略四角形にカットされて４つのカット面３６が形成されている。
【００１６】
そして、このカット面３６のうち背中合わせに対向する２つのカット面３６にネジ３７を当接してファン３３を固定することにより送風機３０が構成されている。
【００１７】
このような構成の送風機３０を位相制御して、電磁騒音の発生度合を調べた結果を図５に示す。
【００１８】
なお、図５においては従来品（図７に示すように、カット面が直交して形成された送風機）と本発明品（図４に示すように、カット面が四面に形成された送風機）とを種々の周波数に対して比較している。また、最後に示すＡは、Ａ特性を示し騒音レベルに対して聴感補正した値で、このＡ特性が小さいと騒音は小さく感じられる。
【００１９】
図５からわかるように、カット面３６を略四角形に形成して、ネジ３７が背中合わせに対向すカット面３６に当接するように設けることで、各周波数での騒音レベルを始め、Ａ特性がそれぞれ小さくなっている。
【００２０】
即ち、図７に示すように、カット面が直交して形成された従来品の送風機に対して、図４に示すように、カット面が略四角形に形成された本発明品にかかる送風機３０の方が静音化に有効であることがわかる。
【００２１】
なお、上記説明では、カット面３６を４面にする場合を例に説明したが、他の実験から、モータ軸３４の断面が略多角形状となるように該モータ軸３４の曲面をカットし、このカットによって形成されたカット面３６の角部が筒状のボス３５の中空部に内接するようにモータ軸３４がボス３５に挿入される構成とすると共に、ボス３５には、モータ軸固定用の複数のネジ３７が背中合わせに対向するカット面３６に当接するように形成すれば同様の効果を得ることができることが確認されている。
【００２２】
【発明の効果】
以上説明したように請求項１にかかる発明によれば、モータ軸の断面が略多角形状となるように該モータ軸の曲面をカットし、このカットによって形成されたカット面の角部が筒状のボスの中空部に内接するようにモータ軸がボスに挿入される構成とすると共に、ボスには、モータ軸固定用の複数のネジが背中合わせに対向するカット面に当接するように配設されてなるので、この送風機を位相制御した際に発生する電磁騒音を低減することが可能になる。
【００２３】
請求項２にかかる発明によれば、モータ軸に形成したカット面を４面にしたので、この送風機を位相制御した際に発生する電磁騒音を低減することが可能になる。
【００２４】
請求項３にかかる発明によれば、ボスに２つのネジが設けられ、かつ、該ネジが対向するカット面に当接するように一直線上に配設したので、この送風機を位相制御した際に発生する電磁騒音を低減することが可能になる。
【図面の簡単な説明】
【図１】本発明の実施の形態の説明に適用される室外機の斜視図である。
【図２】モータの斜視図である。
【図３】ファンが取付けられる部位のモータ軸の部分斜視図である。
【図４】送風機をファン側から見た部分図である。
【図５】本発明の効果を調べた実験結果を示す図である。
【図６】冷凍回路図である。
【図７】従来の技術の説明に適用される送風機のファン側から見た部分図である。
【符号の説明】
１２  凝縮器
１４  蒸発器
３０  送風機
３１  モータ
３３  ファン
３４  モータ軸
３５  ボス
３６  カット面
３７  ネジ
【図１】
0003728134.tif 000002
【図２】
0003728134.tif 000003
【図３】
0003728134.tif 000004
【図４】
0003728134.tif 000005
【図５】
0003728134.tif 000006
【図６】
0003728134.tif 000007
【図７】
0003728134.tif 000008